(57)【要約】【課題】高弾性繊維製のブラジャーカップを提供する。【解決手段】本考案の高弾性繊維製のブラジャーカップは、熱圧着或いは裁断縫製により製作されるもので、内面層１０、外面層２０及びパッド３０からなる高弾性繊維製のブラジャーカップであって、前記内，外面層１０，２０は、表層布１１内面に高弾性繊維体ａを切断してなる蜂の巣状の繊維片体１２を貼設したもの、両面ジャージ布及び３層ネット布を使用したものからなる群から選択されたものからなり、前記パッド３０は高弾性繊維体ａを必要な形状に切断し、前記内，外面層１０，２０間に装着し、無溶剤の粘着剤により貼合するようにした。このように構成することで、弾性、通気性がよく、使用寿命が長いという長所が得られる。【選択図】図２
0003136011.tif 000002
【実用新案登録請求の範囲】
【請求項１】
熱圧着或いは裁断縫製により製作されるもので、内面層、外面層及びパッドからなる高弾性繊維製のブラジャーカップであって、
前記内，外面層は、表層布内面に高弾性繊維体を切断してなる蜂の巣状の繊維片体を貼設したもの、両面ジャージ布及び３層ネット布を使用したものからなる群から選択されたものからなり、前記パッドは高弾性繊維体を必要な形状に切断し、前記内，外面層間に装着し、無溶剤の粘着剤により貼合するようにしたことを特徴とする高弾性繊維製のブラジャーカップ。
【請求項２】
前記内，外面層は表層布内面に高弾性繊維体を切断してなる蜂の巣状繊維片体を貼設してなることを特徴とする請求項１に記載の高弾性繊維製のブラジャーカップ。
【請求項３】
前記内，外面層は両面ジャージ布であることを特徴とする請求項１に記載の高弾性繊維製のブラジャーカップ。
【請求項４】
前記内，外面層は３層ネット布であることを特徴とする請求項１に記載の高弾性繊維製のブラジャーカップ。
【請求項５】
前記内面層は、表層布内面に、高弾性繊維体を切断してなる蜂の巣状片体を貼設してなり、外面層は両面ジャージ布であることを特徴とする請求項１に記載の高弾性繊維製のブラジャーカップ。
【請求項６】
前記内面層は両面ジャージ布で、前記外面層は表層布内面に高弾性繊維体を切断してなる蜂の巣状繊維片体を貼設してなることを特徴とする請求項１に記載の高弾性繊維製のブラジャーカップ。
【請求項７】
前記内面層は３層ネット布で、前記外面層は両面ジャージ布であることを特徴とする請求項１に記載の高弾性繊維製のブラジャーカップ。
【請求項８】
前記内面層は両面ジャージ布で、前記外面層は３層ネット布であることを特徴とする請求項１に記載の高弾性繊維製のブラジャーカップ。
【考案の詳細な説明】
【技術分野】
【０００１】
本考案はブラジャーのカップに関し、特に、厚さが必要に応じて選択でき、弾性と通気性がよい高弾性繊維製のブラジャーカップに関するものである。
【背景技術】
【０００２】
ブラジャーにおけるブラジャーカップは女性の胸部を美しく整える重要な肌着であり、発育中の胸部を適切に保護或いは定型したり、胸部のリフトアップや谷間を作る作用もあるので、全ての女性に必要な生活必需品である。公知のブラジャーカップ構造は、図１で示されるように、対をなす両面ジャージ布などにより成形される表生地１と裏生地１の中間にパッド２を装着してなるもので、前記パッド２の材質は綿、発泡体、不織布のなどから選択されて使用されているのが一般的である。
【０００３】
しかるに、例えば綿材質のパッド２は、好ましい通気性を有するが、長時間使用したり洗濯した後に変形が生じ易く、弾性と包覆力が落ち、着用感が悪いという問題点がある。
【０００４】
また、発泡体材質のパッド２は、水洗いによる変形が生じやすく、重量が重く、洗濯後に黄ばみやすく、黄ばみが表生地１に移色しやすく、通気性が悪く、長時間の着用は蒸れ易い。また発泡体材質の中には人体に有害（毒性）な物質が含有しており、人体への長時間の接触使用に適さず、再生利用もできないので、環境汚染の問題がある。
【０００５】
更に、不織布材質のパッド２は、薄片に成型することはできるが、厚い物は提供できず、弾性と包覆力に劣り、実用的でない。
【考案の開示】
【考案が解決しようとする課題】
【０００６】
本考案は、上述の問題を改善するため、厚さが必要に応じて選択でき、弾性と通気性がよい高弾性繊維製のブラジャーカップを提供することを目的とする。
【課題を解決するための手段】
【０００７】
本考案の高弾性繊維製ブラジャーカップは、熱圧着或いは裁断縫製により製作されるもので、内面層、外面層及びパッドからなる高弾性繊維製のブラジャーカップであって、前記内，外面層は、表層布内面に高弾性繊維体を切断してなる蜂の巣状の繊維片体を貼設したもの、両面ジャージ布及び３層ネット布を使用したものからなる群から選択されたものからなり、前記パッドは高弾性繊維体を必要な形状に切断し、前記内，外面層間に装着し、無溶剤の粘着剤により貼合するようにしたことを特徴とする。
【考案の効果】
【０００８】
本考案の高弾性繊維体は必要に応じて任意の厚さに製作でき、且つ、直立の蜂の巣状繊維であり、故に、弾性、通気性がよく、持続した圧力を受けても、迅速に回復し、好ましいバスト集中、包覆力、着用感を提供する。
本考案の蜂の巣状繊維片体は、変形や黄ばみがなく、水洗いに強く、使用寿命が長い。
【考案を実施するための最良の形態】
【０００９】
以下、本考案の高弾性繊維製のブラジャーカップの第１実施例について図面を基に説明する。
【実施例１】
【００１０】
図２〜図７で示されるように、本考案の第１実施例に係る高弾性繊維製のブラジャーカップは、内面層１０、外面層２０及びパッド３０からなる。
前記内面層１０は、表層布１１内面に適当な厚さの蜂の巣状の繊維片体１２を貼設してなり、蜂の巣状の繊維片体１２は、主に、２種類或いはそれ以上の繊維を混合してなるもので、２種類のうちの１種類は低融点のＰＥＴ弾性繊維ａｌが４５〜５０％で、もう１種類は、自己巻き性能（self crimp）を有するＰＥＴ繊維ａ２が４５〜５０％の混紡であり、前記２種類のＰＥＴ弾性繊維ａ１とＰＥＴ繊維ａ２の融点が異なるものである。
【００１１】
また、使用目的により配合するその他に加える繊維ａ３は５〜１０％である。前記その他に加える繊維ａ３は、例えば、天然綿、回収された古着、紡織料、絨毯、再生綿等である。
【００１２】
その他に加える繊維ａ３を、前記ＰＥＴ弾性繊維ａ１とＰＥＴ繊維ａ２との混合後、混打綿機により全ての繊維をほぐし、梳綿機により、全繊維の混合体を連続した繊維ネットにし、繊維ネットを精紡機に送り、繊維ネットの精紡作業を行い、繊維ネットが平行の連続した畳置状態になる。
【００１３】
更に、熱風オーブンに送られ、圧力をかけて１５０〜２００℃の熱風を当て、過熱して折り曲げられたＰＥＴ弾性繊維ａ１，ＰＥＴ繊維ａ２は湾曲部を介して連結生成され、直立配設した低融点のＰＥＴ弾性繊維と溶接して収縮し、直立状態の蜂の巣状の高弾性繊維体ａを形成する。更に、筒状に巻いて、切断機により必要な厚さの片状に切断する。外面層２０は両面ジャージ布で、パッド３０は高弾性繊維体ａを必要な立体形状に裁断して使用するものである。
【００１４】
組み合わせ縫製時においては、図８〜図１０で示されるように、内，外面層１０，２０内面に無溶剤の粘着剤を塗付し、パッド３０を内，外面層１０，２０間に装着して貼合し、熱圧着によりカップ状に成型し、高弾性で通気性のよいブラジャーカップが完成する。
【実施例２】
【００１５】
図１１は、本考案の第２実施例を示すもので、第２実施例においては、内面層１０は両面ジャージ布で、外面層２０は表層２１内面に高弾性繊維体ａ切断してなる蜂の巣状繊維片２２を貼設してなる。
【実施例３】
【００１６】
図１２は、本考案の第３実施例を示すもので、第３実施例においては、内外表層１０，２０は表層布１１、２１内面に高弾性繊維体ａを切断してなる蜂の巣状片体１２、２２を貼設してなるものである。
【実施例４】
【００１７】
図１３は、本考案の第４実施例を示すもので、第４実施例においては内，外面層１０，２０は共に両面ジャージ布を使用したものである。
【実施例５】
【００１８】
図１４，図１５、は本考案の第５実施例を示すもので、第５実施例においては、高弾性繊維体ａを適当な厚さの蜂の巣状繊維片体４０に切断し、直接蜂の巣状繊維体４０両面に表層布１１、２１を粘着し、適当な形状の大小二つの塊に裁断し、縫製して結合し、立体的なカップを形成したものである。
【実施例６】
【００１９】
図１６は、本考案の第６実施例を示すもので、内，外面層１０，２０は三層のネット布（弾性繊維ニット布）を用いたものである。
【実施例７】
【００２０】
また、図１７は、第７実施例を示し、内面層１０は三層ネット布に設置し、外面層２０は両面ジャージ布に設置したものである。
【実施例８】
【００２１】
更に、図１８は、第８実施例を示し、内面層１０は両面ジャージ布で、外面層２０は三層ネット布にし、パッド３０は高弾性繊維体ａを必要な立体形状に切断し、内，外面層１０，２０内面に無溶剤の粘着剤を塗付し、パッド３０を内，外面層１０，２０間に装着して貼合、及び、熱圧着し、高弾性で通気性のよいブラジャーカップに成型することもできる。
【００２２】
本考案は以上のような構造としたので、以下のような効果が得られる。
１）直立した蜂の巣状繊維の特性により、弾性、通気性がよく、持続する圧力を受けた後も迅速に回復し、着用時の胸部の集中、包覆、快適性を提供することができる。
２）水洗い時に変形や黄ばみが生じにくく、使用寿命が長い。
【００２３】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができるものであり、本考案の保護範囲は、実用新案登録請求の範囲に記載した内容を基準とする。
【図面の簡単な説明】
【００２４】
【図１】従来のブラジャーカップを示す断面図である。
【図２】本考案の高弾性繊維製のブラジャーカップの第１実施例を示す立体分解図である。
【図３】本考案の高弾性繊維製のブラジャーカップの第１実施例を示す高弾性繊維体の断面図である。
【図４】本考案の高弾性繊維製のブラジャーカップの第１実施例を示す高弾性繊維体の立体分解図である。
【図５】本考案の高弾性繊維製のブラジャーカップの第１実施例を示す高弾性繊維体の半製品断面図である。
【図６】本考案の高弾性繊維製のブラジャーカップの第１実施例を示す高弾性繊維体の断面動作図である。
【図７】本考案の高弾性繊維製のブラジャーカップの第１実施例を示す高弾性繊維体を蜂の巣状繊維片体に切断した断面図である。
【図８】本考案の高弾性繊維製のブラジャーカップの第１実施例を示す熱圧着による合成型の立体図である。
【図９】本考案の高弾性繊維製のブラジャーカップの第１実施例を示すブラジャーカップ立体図である。
【図１０】本考案の高弾性繊維製のブラジャーカップの第１実施例を示すブラジャーカップ断面図である。
【図１１】本考案の高弾性繊維製のブラジャーカップの第２実施例を示すブラジャーカップの断面図である。
【図１２】本考案の高弾性繊維製のブラジャーカップの第３実施例を示すブラジャーカップの断面図である
【図１３】本考案の高弾性繊維製のブラジャーカップの第４実施例を示すブラジャーカップの断面図である。
【図１４】本考案の高弾性繊維製のブラジャーカップの第５実施例を示すブラジャーカップの断面図である。
【図１５】本考案の高弾性繊維製のブラジャーカップの第５実施例を示すブラジャーカップの断面図である。
【図１６】本考案の高弾性繊維製のブラジャーカップの第６実施例を示すブラジャーカップの断面図である。
【図１７】本考案の高弾性繊維製のブラジャーカップの第７実施例を示すブラジャーカップの断面図である。
【図１８】本考案の高弾性繊維製のブラジャーカップの第８実施例を示すブラジャーカップの断面図である。
【符号の説明】
【００２５】
１０  内面層
１１  表層布
１２  蜂の巣状繊維片体
２０  外面層
２１  表層布
２２  蜂の巣状繊維片体
３０  パッド
４０  蜂の巣状繊維片体
ａ    高弾性繊維体
ａ１  ＰＥＴ弾性繊維
ａ２  ＰＥＴ繊維
ａ３  その他の繊維
【図１】
0003136011.tif 000003
【図２】
0003136011.tif 000004
【図３】
0003136011.tif 000005
【図４】
0003136011.tif 000006
【図５】
0003136011.tif 000007
【図６】
0003136011.tif 000008
【図７】
0003136011.tif 000009
【図８】
0003136011.tif 000010
【図９】
0003136011.tif 000011
【図１０】
0003136011.tif 000012
【図１１】
0003136011.tif 000013
【図１２】
0003136011.tif 000014
【図１３】
0003136011.tif 000015
【図１４】
0003136011.tif 000016
【図１５】
0003136011.tif 000017
【図１６】
0003136011.tif 000018
【図１７】
0003136011.tif 000019
【図１８】
0003136011.tif 000020